(57)【要約】      （修正有）【課題】植物等の種子を簡易に播種成育できる補助具を提供する。【解決手段】一個のシール台紙１に貼着した下部シール２と上部水溶性シール４との間に植物等の種子３を封入して簡易種子床５を接着形成する。また、シール台紙１に貼着した下部シール２と上部水溶性シール４との間に種子３を封入状態で接着形成させた簡易種子床５を一体的にシール台紙１から剥離可能とする。また、シール台紙１に貼着した下部シール２の下部側簡易種子床５ａと、別シール台紙１ａに貼着した上部水溶性シール４の上部側簡易種子床５ｂとの間に、種子３を封入状態で接着形成させた簡易種子床５を一体的にシール台紙１から剥離可能とする。また、乗り物や見せ物等の各種の利用券７のうち領収券７ａから切り離す半券７ｂに、種子３を収納封入した簡易種子床５を剥離可能に貼着した。【選択図】図１
0003117442.tif 000002
【実用新案登録請求の範囲】
【請求項１】
一個のシール台紙（１）に剥離可能に貼着した下部シール（２）の上面に植物等の種子（３）を載置し、この種子（３）を被覆して封入状態とする上部水溶性シール（４）を下部シール（２）に接着させて簡易種子床（５）を形成したことを特徴とする播種補助具。
【請求項２】
適宜大きさの一枚のシール台紙（１）に剥離可能に貼着した下部シール（２）の上面に多数個の植物等の種子（３）を均等に分配載置し、この種子（３）を被覆して封入状態とする上部水溶性シール（４）を下部シール（２）と同形状として接着させると共に、この種子（３）を封入状態とした上下のシール（４），（２）によって適宜な形状で成形される多数個の簡易種子床（５）と、上下のシール（４），（２）とを各別にシール台紙（１）から剥離可能にハーフカット加工したことを特徴とする請求項１記載の播種補助具。
【請求項３】
適宜大きさの一枚のシール台紙（１）に貼着した下部シール（２）を適宜な形状の点止め加工により剥離して残った均等配置の多数個の下部側簡易種子床（５ａ）と、下部シール（２）と同形状として別シール台紙（１ａ）に貼着した上部水溶性シール（４）を適宜な形状の点止め加工により剥離して残った均等配置の多数個の上部側簡易種子床（５ｂ）と、多数個の植物等の種子（３）を収納する種子袋（６）とからなるセットにおいて、シール台紙（１）の下部側簡易種子床（５ａ）と、別シール台紙（１ａ）から剥離した上部側簡易種子床（５ｂ）との間に種子（３）を封入状態として接着形成させた多数個の簡易種子床（５）を、シール台紙（１）から剥離可能としたことを特徴とする請求項１及び請求項２記載の播種補助具。
【請求項４】
乗り物や見せ物等を利用するときに必要となる各種の利用券（７）のうち領収券（７ａ）から切り離して利用者が受け取る半券（７ｂ）に、前記植物等の種子（３）を収納封入した単一又は複数個の簡易種子床（５）を剥離可能に貼着したことを特徴とする請求項１及び請求項２並びに請求項３記載の播種補助具。
【考案の詳細な説明】
【技術分野】
【０００１】  この考案は、簡易種子床による播種補助具に関し、植物等の種子の簡易な播種成育を可能とする播種補助具としての簡易種子床等の分野に属する。
【背景技術】
【０００２】  従来では、はがきやグリーティングカード及び銀行等で無料配布するサービスシートや名刺等のシート状差出物に花や野菜等の種子を添付して他人へ差出すことで、挨拶等と共に種子のプレゼントになり貰った人はシート状差出物から種子を分離して植え付けると花等の成長が楽しめて効果的なコミュニケーションが図れるという種子添付シートに関するもの（例えば、特許文献１参照）や、水溶紙の片面に熱シール用コーティング層を設け、この面を互いに対抗させて熱シールすることにより密封袋とし、その中に植物種子を封入した播種袋に関するもの（例えば、特許文献２参照）等が開示されている。
【特許文献１】実用新案登録第３０７７９６７号
【特許文献２】実開平７−１７１０
【考案の開示】
【考案が解決しようとする課題】
【０００３】  しかし、従来の如き、シート状差出物から種子を分離して植え付ける種子添付シートにおいては、シート状差出物から種子カバーを剥離し、この剥離した種子カバーに種子を付着させて植え付けを行うというものであるが、これらのものでは、シート状差出物から種子カバーを容易に剥離することができ難いと共に、剥離した種子カバーに種子が必ずしも付着するとは期待でき難いものであった。【０００４】  また、水溶紙の密封袋に植物種子を熱シールにより封入したものにおいては、水溶紙の片面に熱シール用コーティング層を設けてこの面を互いに対向させて熱シールするというものであるが、これらのものでは、熱シールに手間が掛かると共に、シート状差出物等に密封袋を添付する際には別に紐等を必要とする難点があった。【０００５】  このため、本発明では、シート状差出物からの種子カバーの剥離と剥離した種子カバーへの種子付着の課題、及び熱シールの手間とシート状差出物等に密封袋を添付する際の課題について解決しようとするものである。
【課題を解決するための手段】
【０００６】  請求項１の考案は、一個のシール台紙（１）に剥離可能に貼着した下部シール（２）の上面に植物等の種子（３）を載置し、この種子（３）を被覆して封入状態とする上部水溶性シール（４）を下部シール（２）に接着させて簡易種子床（５）を形成したことを特徴とする播種補助具の構成とする。【０００７】  このような構成により、植物等の種子（３）を下部シール（２）と上部水溶性シール（４）の間に封入させた簡易種子床（５）を、シール台紙（１）から容易に剥離させることが可能であるから、この剥離させた簡易種子床（５）を用い、各方向の姿勢等によって土中に埋設させる土壌栽培用や、平面的な姿勢等によって水中に着設させる水耕栽培用として、上部水溶性シール（４）が水分で溶けることにより土中や水中で播種育成させることができる。なお、下部シール（２）は水溶性としても差し支えないものである。【０００８】  請求項２の考案は、適宜大きさの一枚のシール台紙（１）に剥離可能に貼着した下部シール（２）の上面に多数個の植物等の種子（３）を均等に分配載置し、この種子（３）を被覆して封入状態とする上部水溶性シール（４）を下部シール（２）と同形状として接着させると共に、この種子（３）を封入状態とした上下のシール（４），（２）によって適宜な形状で成形される多数個の簡易種子床（５）と、上下のシール（４），（２）とを各別にシール台紙（１）から剥離可能にハーフカット加工したことを特徴とする請求項１記載の播種補助具の構成とする。【０００９】  このような構成により、多数個の植物等の種子（３）を、一枚の下部シール（２）と同形状の上部水溶性シール（４）との間に均等に分配して封入形成させた多数個の簡易種子床（５）を適宜な形状でハーフカットを行い、このハーフカットにより先にシール台紙（１）から上下のシール（４），（２）を各々剥離させた後、多数個の簡易種子床（５）を剥離させることが可能であるから、この剥離させた簡易種子床（５）を用い、各方向の姿勢等によって土中に埋設させる土壌栽培用や、平面的な姿勢等によって水中に着設させる水耕栽培用として、上部水溶性シール（４）が水分で溶けることにより土中や水中で播種育成させることができる。【００１０】  請求項３の考案は、適宜大きさの一枚のシール台紙（１）に貼着した下部シール（２）を適宜な形状の点止め加工により剥離して残った均等配置の多数個の下部側簡易種子床（５ａ）と、下部シール（２）と同形状として別シール台紙（１ａ）に貼着した上部水溶性シール（４）を適宜な形状の点止め加工により剥離して残った均等配置の多数個の上部側簡易種子床（５ｂ）と、多数個の植物等の種子（３）を収納する種子袋（６）とからなるセットにおいて、シール台紙（１）の下部側簡易種子床（５ａ）と、別シール台紙（１ａ）から剥離した上部側簡易種子床（５ｂ）との間に種子（３）を封入状態として接着形成させた多数個の簡易種子床（５）を、シール台紙（１）から剥離可能としたことを特徴とする請求項１及び請求項２記載の播種補助具の構成とする。【００１１】  このような構成により、シール台紙（１）から剥離した下部シール（２）に残った均等配置の多数個の下部側簡易種子床（５ａ）の上面に、種子袋（６）から取り出した種子（３）を各々載置すると共に、別シール台紙（１ａ）から剥離した上部水溶性シール（４）に残った均等配置の多数個の上部側簡易種子床（５ｂ）を、別シール台紙（１ａ）から適宜個数剥離し、この剥離した上部側簡易種子床（５ｂ）と、シール台紙（１）の下部側簡易種子床（５ａ）との間に種子（３）を封入して適宜個数の簡易種子床（５）を接着形成させ、この簡易種子床（５）をシール台紙（１）から剥離させることが可能であるから、この剥離させた簡易種子床（５）を用い、各方向の姿勢等によって土中に埋設させる土壌栽培用や、平面的な姿勢等によって水中に着設させる水耕栽培用として、上部水溶性シール（４）が水分で溶けることにより、土中や水中で播種育成させることができる。【００１２】  請求項４の考案は、乗り物や見せ物等を利用するときに必要となる各種の利用券（７）のうち領収券（７ａ）から切り離して利用者が受け取る半券（７ｂ）に、前記植物等の種子（３）を収納封入した単一又は複数個の簡易種子床（５）を剥離可能に貼着したことを特徴とする請求項１及び請求項２並びに請求項３記載の播種補助具の構成とする。【００１３】  このような構成により、利用券（７）のうち領収券（７ａ）から切り離して利用者が受け取る半券（７ｂ）に簡易種子床（５）を貼着させていることにより、利用者はこの半券（７ｂ）から簡易種子床（５）を剥離させることが可能であるから、この剥離させた簡易種子床（５）を用い、各方向の姿勢等によって土中に埋設させる土壌栽培用や、平面的な姿勢等によって水中に着設させる水耕栽培用として、上部水溶性シール（４）が水分で溶けることにより、土中や水中で播種育成させることができる。
【考案の効果】
【００１４】  請求項１の考案では、上記作用の如く、植物等の種子（３）を封入させた簡易種子床（５）をシール材の使用によりシール台紙（１）から容易に剥離させることができると共に、この剥離した簡易種子床（５）を他の希望するもの等に容易に貼着して利用することが可能であり、土壌栽培時における土中埋設の際や水耕栽培時における水中着設の際等において、簡易種子床（５）を使用することにより播種時の補助が充分に発揮され簡単で且つ楽しみな種子育成を行わせることができる。【００１５】  請求項２の考案では、上記作用の如く、シール材の使用により、多数個の植物等の種子（３）を均等に分配して一体的に接着した上下のシール（４），（２）の間に封入し、この種子（３）封入部を適宜な形状に成形させた多数個の簡易種子床（５）を残して上下のシール（４），（２）をシール台紙（１）から各々剥離した後、この簡易種子床（５）をシール台紙（１）から必要な個数だけ容易に剥離させることができると共に、この剥離した簡易種子床（５）を他の希望するもの等に容易に貼着して利用することが可能であり、土壌栽培時における土中埋設の際や水耕栽培時における水中着設の際等において、簡易種子床（５）を使用することにより播種時の補助が充分に発揮され簡単で且つ楽しみな種子育成を行わせることができる。【００１６】  請求項３の考案では、上記作用の如く、シール材の使用により、均等配置した下部側簡易種子床（５ａ）を残して下部シール（２）をシール台紙（１）から剥離し、均等配置した上部側簡易種子床（５ｂ）を残して上部水溶性シール（４）を別シール台紙（１ａ）から剥離することにより、シール台紙（１）における必要な個数の下部側簡易種子床（５ａ）と、別シール台紙（１ａ）から剥離した必要な個数の上部側簡易種子床（５ｂ）との間に種子（３）を封入状態に接着形成させた簡易種子床（５）を、シール台紙（１）から容易に剥離させることができると共に、この剥離した簡易種子床（５）を他の希望するもの等に容易に貼着して利用することが可能であり、土壌栽培時における土中埋設の際や水耕栽培時における水中着設の際等において、簡易種子床（５）を使用することにより播種時の補助が充分に発揮され簡単で且つ楽しみに種子育成を行わせることができる。なお、簡易種子床（５）と種子（３）の組合せはセットとすることにより幅広選択が可能となる。【００１７】  請求項４の考案では、上記作用の如く、乗り物や見せ物等を利用した利用者は、入場時に利用券（７）から切り離されて受け取った半券（７ｂ）に簡易種子床（５）が貼着されているから、この簡易種子床（５）をシール材の使用により半券（７ｂ）より容易に剥離させることができると共に、この剥離した簡易種子床（５）は他の希望するもの等に容易に貼り変えて利用することが可能であり、土壌栽培時における土中埋設の際や水耕栽培時における水中着設の際等において、簡易種子床（５）を使用することにより播種時の補助が充分に発揮され簡単で且つ楽しみに種子育成を行わせることができる。
【考案を実施するための最良の形態】
【００１８】  一個のシール台紙１に剥離可能に貼着した下部シール２の上面に植物等の種子３を載置し、この種子３を被覆して封入状態とする上部水溶性シール４を下部シール２に接着させて簡易種子床５を形成する。また、この簡易種子床５を一枚の上下のシール４，２の間に種子３を封入して接着し適宜な形状に多数個成形させ、シール台紙１から必要な個数だけ剥離可能とする。また、一枚の下部シール２に形成した下部側簡易種子床５ａと、一枚の上部水溶性シール４に形成して剥離した上部側簡易種子床５ｂとにより、別途種子３を封入接着して簡易種子床５を適宜な形状に多数個成形させ、シール台紙１から必要な個数だけ剥離可能とする。また、乗り物や見せ物等を利用する際に必要となる各種の利用券７のうち、領収券７ａから切り離した半券７ｂに別途種子３を収納封入した簡易種子床５を剥離可能に貼着する。【００１９】  以下に、この考案の実施例を図面に基づいて説明する。
図１（ａ），（ｂ）は、一個のシール台紙１に剥離可能に貼着した適宜形状の下部シール２の上面に適当な植物等の種子３を載置すると共に、該下部シール２と略同形状で種子３を被覆して封入状態とする上部水溶性シール４を、下部シール２に接着させることによって播種補助具として単体の簡易種子床５を成形した状態を示しているもので、図２に示す如く、この簡易種子床５をシール台紙１から剥離させることにより、土中や水中において播種補助具を利用した播種を行わせることができる。【００２０】  また、図３（ａ），（ｂ）に示す如く、適宜大きさの一枚のシール台紙１に剥離可能に貼着した下部シール２の上面に、多数個の適当な植物等の種子３を均等に分配載置すると共に、この種子３を均等に分配載置した下部シール２に、図４（ａ），（ｂ）に示す如く、該下部シール２と同形状の上部水溶性シール４を種子３を被覆して封入状態となるよう下部シール２に接着させ、この種子３を封入状態に接着させた上下のシール４，２により多数個の簡易種子床５を適宜な形状で成形可能にハーフカット加工を行い、このハーフカットにより多数個の簡易種子床５を残して該上下のシール４，２をシール台紙１から各々剥離させた後、必要な個数だけ簡易種子床５をシール台紙１から剥離させることにより、土中や水中において播種補助具を利用した播種を行わせることができる。【００２１】  また、図５（ａ），（ｂ）に示す如く、適宜大きさの一枚のシール台紙１に剥離可能に貼着した下部シール２に多数個の下部側簡易種子床５ａを均等配置し、適宜な形状の点止め加工により下部シール２を剥離して残った多数個の下部側簡易種子床５ａと、図６（ａ），（ｂ）に示す如く、該下部シール２と同形状の一枚の別シール台紙１ａに剥離可能に貼着した上部水溶性シール４に多数個の上部側簡易種子床５ｂを均等配置し、適宜な形状の点止め加工により上部水溶性シール４を剥離して残った多数個の上部側簡易種子床５ｂと、図７に示す如く、多数個の適当な植物等の種子３を収納する種子袋６とからなるセットにおいて、図８に示す如く、下部側簡易種子床５ａの必要な個数の上面に種子袋６から取り出した種子３を均等に配布載置したものに対し、別シール台紙１ａから剥離した上部側簡易種子床５ｂを必要な個数だけ種子３を封入状態として接着形成させた簡易種子床５を、シール台紙１から剥離させることにより、土中や水中において播種補助具を利用した播種を行わせることができる。【００２２】  また、乗り物や見せ物等を利用するときに必要となる各種の利用券７は、図９に示す如く、主催者が徴収する領収券７ａとこの領収券７ａからミシン目により切り離して利用者が受け取る半券７ｂとから形成され、搭乗，乗船，乗車や入場等を行う際に利用することができるもので、この半券７ｂに簡易種子床５を単一又は複数個貼着させていることにより、利用者は半券７ｂから簡易種子床５を剥離させることにより、土中や水中において播種補助具を利用した播種を行わせることができる。なお、該簡易種子床５は各種の利用券７のみならず、他の希望するもの等、例えば、はがきやグリーティングカード及び銀行等で無料配布するサービスシートや名刺等のシート状差出物に容易に貼り替えて利用することができる。【００２３】  また、該簡易種子床５によって土壌栽培を行うときは、図１０（ａ）に示す如く、剥離した簡易種子床５を播種補助具として土中に縦や平面の各方向の姿勢等によって埋設させ播種育成を行わせると共に、水耕栽培を行うときは、図１０（ｂ）に示す如く、剥離した簡易種子床５を播種補助具として水中に平面方向の姿勢等によって着設させ播種育成を行わせることができ、土中や水中において前記上部水溶性シール４が水分で溶けることにより、簡単で且つ楽しみながら種子３の成育状態を見守ることができる。
【図面の簡単な説明】
【００２４】
【図１】（ａ）植物等の種子を封入して一個の簡易種子床を成形した状態を示す平面図。（ｂ）植物等の種子を封入して一個の簡易種子床を成形した状態を示す側断面図。
【図２】種子を封入した簡易種子床をシール台紙から剥離する状態を示す斜視図。
【図３】（ａ）下部シール上面に植物等の種子を均等に分配載置した状態を示す平面図。（ｂ）下部シール上面に植物等の種子を均等に分配載置した状態を示す側断面図。
【図４】（ａ）上部及び下部シールを接着成形した簡易種子床の剥離状態を示す平面図。（ｂ）上部及び下部シールを接着成形した簡易種子床の剥離状態を示す側断面図。
【図５】（ａ）下部シールにおいて均等配置した下部側簡易種子床の状態を示す平面図。（ｂ）下部シールにおいて均等配置した下部側簡易種子床の状態を示す側断面図。
【図６】（ａ）上部水溶性シールに均等配置した上部側簡易種子床の状態を示す平面図。（ｂ）上部水溶性シールに均等配置した上部側簡易種子床の状態を示す側断面図。
【図７】多数個の適当な種子を種子袋に収納した状態を示す平面図。
【図８】上，下部簡易種子床を接着し簡易種子床を成形させた状態を示す平面図。
【図９】各種の利用券における半券に簡易種子床を貼着させた状態を示す平面図。
【図１０】（ａ）剥離した簡易種子床を土中に埋設させ播種育成させる状態を示す側断面図。（ｂ）剥離した簡易種子床を水中に着設させ播種育成させる状態を示す側断面図。
【符号の説明】
【００２５】１．  シール台紙
１ａ．別シール台紙
２．  下部シール
３．  種子
４．  上部水溶性シール
５．  簡易種子床
５ａ．下部側簡易種子床
５ｂ．上部側簡易種子床
６．  種子袋
７．  利用券
７ａ．領収券
７ｂ．半券
【図１】
0003117442.tif 000003
【図２】
0003117442.tif 000004
【図３】
0003117442.tif 000005
【図４】
0003117442.tif 000006
【図５】
0003117442.tif 000007
【図６】
0003117442.tif 000008
【図７】
0003117442.tif 000009
【図８】
0003117442.tif 000010
【図９】
0003117442.tif 000011
【図１０】
0003117442.tif 000012